(57)【要約】【課題】ベースとなる本体に文字が着脱できるようにすることによって、簡単に多様な文字配列に対応して立体的で装飾性に富んだ安価な表札を提供することをその課題とする。【解決手段】文字体を取り付ける文字取付部１と、その回りを装飾する装飾部２と、門柱、門袖などに取り付ける取付部３とを有する表札本体Ａと、上記文字取付部３に着脱される複数の文字体ａとから成り、文字体ａには文字を表現した。文字体ａはバー状に形成された文字取付部材９を介して表札本体Ａにとりつけてもよい。【選択図】図５
2005215048.tif 000002
【特許請求の範囲】
【請求項１】
文字体を取り付ける文字取付部と、その回りを装飾する装飾部と、門柱、門袖などに取り付ける取付部とを有する表札本体と、上記文字取付部に着脱される複数の文字体とから成り、文字体には文字を表現したことを特徴とする表札。
【請求項２】
前記文字体はバー状に形成された文字取付部材に固定され、この文字取付部材を前記文字取付部に固定した、請求項１記載の表札。
【請求項３】
前記文字取付部材は前記文字取付部の裏面に固定されるとともに、文字取付部材の裏には文字取付部材と略同じ形状のカバー材によって覆われた、請求項３記載の表札。
【請求項４】
前記文字体の下部には取付板部が設けられ、この取付板部を前記文字取付部にネジ止め固定するようにした、請求項１記載の表札。
【請求項５】
文字体の文字の幅と取付板部の幅とは、互いに比例的に対応している、請求項３記載の表札。
【請求項６】
前記文字取付部材の中央には長手方向に案内溝が形成され、前記文字体の取付板部を上記案内溝に沿って並べられるようにした請求項２、３又は４記載の表札。
【発明の詳細な説明】
【技術分野】
【０００１】
本発明は玄関の門柱や門袖や建物の入り口の壁などに取り付けられる表札に関するものである。
【背景技術】
【０００２】
一般に、表札は木製や金属製の長方形の板状体の表面に名前又は名称を表示し、これを門柱に形成された凹部内に嵌め込んでネジで止めるか、門柱に設けたフックに表札を掛け止めるようにして取り付けられている。
【０００３】
これに対し、欧米の表札のように、表札本体にアルファベット文字を透かすように表示し、そのまわりに植物の蔓がからんだような装飾を施して立体的に仕上げたものも採用されるようになっている。このような立体表札は、装飾部分が人目をひくこともあって、最近では少しずつ増える傾向にある。
【発明の開示】
【発明が解決しようとする課題】
【０００４】
しかしながら、従来の立体的な表札は、アルファベットの文字部が表札本体に一体に形成されているものであり、名前や名称に応じて文字配列は決まってしまうから、１個ずつ手作業で作らなければならず、時間がかかるとともに、高価であった。
【０００５】
本発明は上記問題点を解消し、ベースとなる本体に文字が着脱できるようにすることによって、簡単に多様な文字配列に対応して立体的で装飾性に富んだ安価な表札を提供することをその課題とする。
【課題を解決するための手段】
【０００６】
前記課題を解決するため、本発明に係る表札は、文字体を取り付ける文字取付部と、その回りを装飾する装飾部と、門柱、門袖などに取り付ける取付部とを有する表札本体と、上記文字取付部に着脱される複数の文字体とから成り、文字体には文字が表現されていることを特徴とする。
【０００７】
なお、前記文字体の下部には取付板部が設けられ、この取付板部を前記文字取付部にネジ止め固定するようにするのが好ましい。
【０００８】
また、前記文字体はバー状に形成された文字取付部材に固定され、この文字取付部材を前記文字取付部に固定してもよい。
【０００９】
さらに、前記文字取付部材は前記文字取付部の裏面に固定されるとともに、文字取付部材の裏には文字取付部材と略同じ形状のカバー材によって覆われるようにしてもよい。
【００１０】
また、文字体の文字の幅と取付板部の幅とは、互いに比例的に対応させるのが望ましい。
【００１１】
さらに、文字取付部材の中央には長手方向に案内溝が形成され、前記文字体の取付板部を上記案内溝に沿って並べられるように構成してもよい。
【発明の効果】
【００１２】
請求項１に係る発明によれば、表札本体に文字体を着脱可能になっているので、同じ表札本体に対し文字体を選択して取り付けることによってほとんど全ての名前や名称の表札が可能となり、しかも特別の技術は不要であるから、誰でも安価に製作することができる。
【００１３】
請求項２に係る発明によれば、予め必要な文字体を文字取付部材に固定しておき、表札本体には上記文字取付部材を固定するので、文字体の取付作業はさらに容易である。
【００１４】
請求項３に係る発明によれば、表札本体には上記文字取付部材を固定する構成では、文字取付部材の背面側が露出するが、文字取付部材と略同じ形状のカバー材で覆われているので、外観がよい。
【００１５】
請求項４に係る発明によれば、文字体の取付板部を表札本体の文字取付部にネジで固定する構成であるから、取付作業が容易であるとともに、文字部分が取付部によって隠れることがないので、名前や名称の読み取りに支障はない。
【００１６】
請求項５に係る発明によれば、文字体の文字の幅と取付板部の幅とは、互いに比例的に対応しているので、複数の文字体を並べたときに名前又は名称の全体の配列のバランスがよい。
【００１７】
請求項６に係る発明によれば、文字体の取付板部を文字取付部材の案内溝に沿って並べられるようにしたので、文字体の配列作業が容易に行える。
【発明を実施するための最良の形態】
【００１８】
図１は本発明に係る表札の斜視図、図２はその取付状態の正面図、図３は図２のＸ−Ｘ線上の断面図、図４は文字体と文字取付部材の分解斜視図であり、図５は表札の裏側からの分解斜視図である。上記表札は、文字体ａを取り付ける文字取付部１と、その回りを装飾する装飾部２と、門柱、門袖などに取り付ける取付部３とを有する表札本体Ａと、上記文字取付部１に着脱される複数の文字体ａとから構成されている。
【００１９】
表札本体Ａの文字取付部１は横長に形成され、背面の長手方向には凹部４が形成されている。
【００２０】
装飾部２は植物や動物などの具体的なものを立体的に表現するのが好ましいが、星やハートなどを表現してもよい。
【００２１】
文字体ａは図４及び図５に示されるように、文字が表現されている文字部５と、その下部に設けられた取付板部６とからなっている。文字体ａの種類はアルファベットに限定されない。数字や漢字であってもよい。
【００２２】
文字体ａの文字部５の幅と取付板部６の幅とは、互いに比例的に対応している。例えば、図６に示されるように、「Ｂ」、「Ｍ」、「Ｋ」、「Ｒ」等のように幅広の文字には、それに応じて幅広の取付板部６が形成され、「Ｉ」、「Ｌ」等のように幅狭の文字には、それに応じて幅狭の取付板部６が形成されている。
【００２３】
また、取付板部６の中央部にはネジ孔７が形成され、その左右両側には凸部８が形成されている。
【００２４】
図４及び図５に示す符号９は上記文字体ａを固定する文字取付部材である。この文字取付部材９はバー状に形成されている。この文字取付部材９の両端にはネジ孔１０が形成され、中央には長手方向に案内溝１１が形成されている。案内溝１１の溝幅は上記文字体ａの凸部８とほぼ同じく、ネジの頭部の直径よりも小さくなっている。
【００２５】
次に、上記文字体ａを表札本体Ａに取り付けて表札を作る場合、まず、作製しようとする名前や名称に応じて必要な文字体ａを準備し、各文字体ａを文字取付部材９に固定する。文字体ａの取付板部６を文字取付部材９の背面に当接する。このとき、取付板部６の凸部８は案内溝１１に係合させ、文字体ａの姿勢を安定させる。そして、ネジ１２を文字取付部材９の表面側から案内溝１１を通して取付板部６のネジ孔７に止着している。同じ要領で複数の文字体ａを順次上記文字取付体の背面に、案内溝１１に沿って配列させて固定する。
【００２６】
文字取付部材９に必要な文字体ａを固定した後、文字取付部材９を表札本体Ａの文字取付部１の背面に当接させ、両端のネジ孔１０から相通したネジ１３を文字取付部１の両端に止着する。文字体ａを文字取付部材９に固定したネジ１２の頭部は文字取付部１の凹部４内に収まっている。
【００２７】
これにより、文字体ａは文字取付部材９を介して表札本体Ａに取り付けられる。完成した表札は図２に示されるように、門袖１６等にネジ止めすればよい。
【００２８】
なお、文字取付部材９の背面側の文字体ａの取付板部６は裏側に露出する。表札取付部３の裏側が見えないときはそれでもよいが、文字体ａの裏側が隠れるようにするのが好ましい。そのためには、文字取付部１の裏面に固定された文字取付部材９の裏に文字取付部材９と略同じ形状のカバー材１４を配置し、このカバー材１４の両端部１４ａを文字取付部１の両端部１ａにネジ止め固定すればよい。カバー材１４によって文字取付部１の裏側は覆われるので、表札をどのように取り付けても、外観が損なわれることがない。また、カバー材１４を取り付けることによって文字取付部材９が補強されるという補助的効果もある。
【００２９】
上述の構成によれば、表札本体Ａに必要な文字体ａを着脱することによって、同じ表札本体Ａに対し文字体ａを入れ替えて取り付けることによってほとんど全ての名前や名称の表札が可能となり、しかもネジで固定できるので、特別の技術は不要であるから、誰でも安価に表札を作ることができる。
【００３０】
また、予め必要な文字体ａを文字取付部材９に固定しておき、表札本体Ａには上記文字取付部材９を固定するので、文字体ａの取付作業は容易である。
【００３１】
しかも、文字体ａの取付板部６を文字取付部材９の案内溝１１に沿って並べられるようにしたので、文字体ａの配列作業を容易に行うことができる。
【００３２】
さらに、文字体ａの取付板部６を表札本体Ａの文字取付部１にネジで固定する構成であるから、文字部５分が取付部３によって隠れることがないので、名前や名称の読み取りに支障はない。
【００３３】
文字体ａの文字の幅と取付板部６の幅とは、互いに比例的に対応しているので、複数の文字体ａを並べたときに、図７に示すように、名前又は名称の全体の配列のバランスがよい。
【００３４】
なお、文字体ａを表札本体Ａに取り付けるにあたっては、図８に示されるように、文字取付部１の案内溝１１をコ字形にし、その中に文字体ａの取付板部６を落とし込んでネジで直接に固定するようにしてもよい。１５は長孔である。このように構成することにより、文字体ａの取付板部６は露出しないから、文字取付部材９やカバー材１４を設ける必要性は小さい。
【００３５】
一般には、表札を門袖１６の側部に取り付ける場合が多く、取付部３を表札本体Ａの側部に配置する例が多いだろうが、表札の取り付けはこの例に限定されない。例えば、表札を門袖１６の上部に取り付けるときは、取付部３は表札本体Ａの下部に配置され、また、図９（ａ）のように、表札を門袖１６の表面に取り付けるときは、表札本体Ａの裏側に配置される。この場合、同図（ｂ）のように、表札は表札本体Ａの裏側に突出した取付部３にブラケット１７を介して門袖１６の表面に固定すればよい。もちろん、表札は門袖に取り付ける例に限定されるものではなく、門柱や建物の外壁に取り付けてもよい。
【００３６】
また、文字体ａの取付板部６の幅も、必ずしも文字の幅と関係なく一定の幅にしてもよい。これに関連し、文字体ａとしては、必ずしも文字だけでなく、数字や記号を含むものとする。そして、標準的には文字取付部１に９文字程度が並べられる構造としておき、実際には６文字分だけ使うという場合は、文字の両側が大きく残るわけであるから、その余った部分に図７のように音符や星形記号などの文字体ａを、同じ要領で取り付ければよい。
【図面の簡単な説明】
【００３７】
【図１】本発明に係る表札の斜視図である。
【図２】上記表札の取付状態の正面図である。
【図３】図２のＸ−Ｘ線上の断面図である。
【図４】文字体と文字取付部材の分解斜視図である。
【図５】表札の裏側からの分解斜視図である。
【図６】文字体の例の正面図である。
【図７】文字体の取付状態を示す正面図である。
【図８】文字体の取付態様の他の例の要部断面図である。
【図９】（ａ）（ｂ）は表札を門袖の表面に取り付けた状態の正面図及び平面図である。
【符号の説明】
【００３８】
Ａ    表札本体
ａ    文字体
１    文字取付部
２    装飾部
３    取付部
９    文字取付部材
【図１】
2005215048.tif 000003
【図２】
2005215048.tif 000004
【図３】
2005215048.tif 000005
【図４】
2005215048.tif 000006
【図５】
2005215048.tif 000007
【図６】
2005215048.tif 000008
【図７】
2005215048.tif 000009
【図８】
2005215048.tif 000010
【図９】
2005215048.tif 000011
【手続補正書】
【提出日】平成16年11月4日(2004.11.4)
【手続補正１】
【補正対象書類名】特許請求の範囲
【補正対象項目名】全文
【補正方法】変更
【補正の内容】
【特許請求の範囲】
【請求項１】
文字取付部とその回りを装飾する装飾部とを有する表札本体と、文字を表現した複数の文字体とから成り、上記文字体の下部には取付板部を設け、この取付板部を上記文字取付部に並べて固定したことを特徴とする表札。
【請求項２】
前記文字体はバー状に形成された文字取付部材に固定され、この文字取付部材を前記文字取付部に固定した、請求項１記載の表札。
【請求項３】
前記文字取付部材は前記文字取付部の裏面に固定されるとともに、文字取付部材の裏には文字取付部材と略同じ形状のカバー材によって覆われた、請求項２記載の表札。
【請求項４】
前記文字体の文字の幅と前記取付板部の幅とは、互いに比例的に対応している、請求項１、２又は３記載の表札。
【請求項５】
前記文字取付部材の中央には長手方向に案内溝が形成され、前記文字体の取付板部を上記案内溝に沿って並べられるようにした、請求項１、２、３又は４記載の表札。
【手続補正２】
【補正対象書類名】明細書
【補正対象項目名】全文
【補正方法】変更
【補正の内容】
【発明の詳細な説明】
【技術分野】
【０００１】
本発明は玄関の門柱や門袖や建物の入り口の壁などに取り付けられる表札に関するものである。
【背景技術】
【０００２】
一般に、表札は木製や金属製の長方形の板状体の表面に名前又は名称を表示し、これを門柱に形成された凹部内に嵌め込んでネジで止めるか、門柱に設けたフックに表札を掛け止めるようにして取り付けられている。
【０００３】
これに対し、欧米の表札のように、表札本体にアルファベット文字を透かすように表示し、そのまわりに植物の蔓がからんだような装飾を施して立体的に仕上げたものも採用されるようになっている。このような立体表札は、装飾部分が人目をひくこともあって、最近では少しずつ増える傾向にある。また、機材に文字の形を貫通形成し、機材の裏面に形成した凹所に円形の光透過プレートを嵌め込み、その裏に照明装置を配置して筒体内に収納し、照明装置によって基材の文字状貫通孔を裏側から照らして暗所でも文字を明確に読み取ることができるようにしたものが知られている。
【特許文献１】特開２００１−１９５０００
【発明の開示】
【発明が解決しようとする課題】
【０００４】
しかしながら、従来の立体的な表札は、アルファベットの文字部が表札本体に一体に形成されているものであり、名前や名称に応じて文字配列は決まってしまうから、１個ずつ手作業で作らなければならず、時間がかかるとともに、高価であった。また、特許文献１に示された技術は非常に面倒であり、同様に高価になるという欠点がった。
【０００５】
本発明は上記問題点を解消し、ベースとなる本体に文字が着脱できるようにすることによって、簡単に多様な文字配列に対応して立体的で装飾性に富んだ安価な表札を提供することをその課題とする。
【課題を解決するための手段】
【０００６】
前記課題を解決するため、本発明に係る表札は文字取付部とその回りを装飾する装飾部とを有する表札本体と、文字を表現した複数の文字体とから成り、上記文字体の下部には取付板部を設け、この取付板部を上記文字取付部に並べて固定したことを特徴とする。
【０００７】
なお、前記文字体はバー状に形成された文字取付部材に固定され、この文字取付部材を前記文字取付部に固定してもよい。
【０００８】
さらに、前記文字取付部材は前記文字取付部の裏面に固定されるとともに、文字取付部材の裏には文字取付部材と略同じ形状のカバー材によって覆われるようにしてもよい。
【０００９】
また、文字体の文字の幅と取付板部の幅とは、互いに比例的に対応させるのが望ましい。
【００１０】
さらに、文字取付部材の中央には長手方向に案内溝が形成され、前記文字体の取付板部を上記案内溝に沿って並べられるように構成してもよい。
【発明の効果】
【００１１】
請求項１に係る発明によれば、文字体の下部に取付板部を設け、この取付板部を表札本体の文字取付部に並べて固定する構成であるから、表札本体の文字取付部に対し文字体を選択して取り付けることによってほとんど全ての名前や名称の表札が可能となり、しかも特別の技術は不要であるから、誰でも安価に製作することができる。また、文字体の取付板部を表札本体の文字取付部にネジで固定すればよいので、取付作業が容易であるとともに、文字部分が取付部によって隠れないようにして、名前や名称の読み取りに支障がないようにすることができる。
【００１２】
請求項２に係る発明によれば、予め必要な文字体を文字取付部材に固定しておき、表札本体には上記文字取付部材を固定するので、文字体の取付作業はさらに容易である。
【００１３】
請求項３に係る発明によれば、表札本体には上記文字取付部材を固定する構成では、文字取付部材の背面側が露出するが、文字取付部材と略同じ形状のカバー材で覆われているので、外観がよい。
【００１４】
請求項４に係る発明によれば、文字体の文字の幅と取付板部の幅とは、互いに比例的に対応しているので、複数の文字体を並べたときに名前又は名称の全体の配列のバランスがよい。
【００１５】
請求項５に係る発明によれば、文字体の取付板部を文字取付部材の案内溝に沿って並べられるようにしたので、文字体の配列作業が容易に行える。
【発明を実施するための最良の形態】
【００１６】
図１は本発明に係る表札の斜視図、図２はその取付状態の正面図、図３は図２のＸ−Ｘ線上の断面図、図４は文字体と文字取付部材の分解斜視図であり、図５は表札の裏側からの分解斜視図である。上記表札は、文字体ａを取り付ける文字取付部１と、その回りを装飾する装飾部２と、門柱、門袖などに取り付ける取付部３とを有する表札本体Ａと、上記文字取付部１に着脱される複数の文字体ａとから構成されている。
【００１７】
表札本体Ａの文字取付部１は横長に形成され、背面の長手方向には凹部４が形成されている。
【００１８】
装飾部２は植物や動物などの具体的なものを立体的に表現するのが好ましいが、星やハートなどを表現してもよい。
【００１９】
文字体ａは図４及び図５に示されるように、文字が表現されている文字部５と、その下部に設けられた取付板部６とからなっている。文字体ａの種類はアルファベットに限定されない。数字や漢字であってもよい。
【００２０】
文字体ａの文字部５の幅と取付板部６の幅とは、互いに比例的に対応している。例えば、図６に示されるように、「Ｂ」、「Ｍ」、「Ｋ」、「Ｒ」等のように幅広の文字には、それに応じて幅広の取付板部６が形成され、「Ｉ」、「Ｌ」等のように幅狭の文字には、それに応じて幅狭の取付板部６が形成されている。
【００２１】
また、取付板部６の中央部にはネジ孔７が形成され、その左右両側には凸部８が形成されている。
【００２２】
図４及び図５に示す符号９は上記文字体ａを固定する文字取付部材である。この文字取付部材９はバー状に形成されている。この文字取付部材９の両端にはネジ孔１０が形成され、中央には長手方向に案内溝１１が形成されている。案内溝１１の溝幅は上記文字体ａの凸部８とほぼ同じく、ネジの頭部の直径よりも小さくなっている。
【００２３】
次に、上記文字体ａを表札本体Ａに取り付けて表札を作る場合、まず、作製しようとする名前や名称に応じて必要な文字体ａを準備し、各文字体ａを文字取付部材９に固定する。文字体ａの取付板部６を文字取付部材９の背面に当接する。このとき、取付板部６の凸部８は案内溝１１に係合させ、文字体ａの姿勢を安定させる。そして、ネジ１２を文字取付部材９の表面側から案内溝１１を通して取付板部６のネジ孔７に止着している。同じ要領で複数の文字体ａを順次上記文字取付体の背面に、案内溝１１に沿って配列させて固定する。
【００２４】
文字取付部材９に必要な文字体ａを固定した後、文字取付部材９を表札本体Ａの文字取付部１の背面に当接させ、両端のネジ孔１０から挿通したネジ１３を文字取付部１の両端に止着する。文字体ａを文字取付部材９に固定したネジ１２の頭部は文字取付部１の凹部４内に収まっている。
【００２５】
これにより、文字体ａは文字取付部材９を介して表札本体Ａに取り付けられる。完成した表札は図２に示されるように、門袖１６等にネジ止めすればよい。
【００２６】
なお、文字取付部材９の背面側の文字体ａの取付板部６は裏側に露出する。表札取付部３の裏側が見えないときはそれでもよいが、文字体ａの裏側が隠れるようにするのが好ましい。そのためには、文字取付部１の裏面に固定された文字取付部材９の裏に文字取付部材９と略同じ形状のカバー材１４を配置し、このカバー材１４の両端部１４ａを文字取付部１の両端部１ａにネジ止め固定すればよい。カバー材１４によって文字取付部１の裏側は覆われるので、表札をどのように取り付けても、外観が損なわれることがない。また、カバー材１４を取り付けることによって文字取付部材９が補強されるという補助的効果もある。
【００２７】
上述の構成によれば、表札本体Ａに必要な文字体ａを着脱することによって、同じ表札本体Ａに対し文字体ａを入れ替えて取り付けることによってほとんど全ての名前や名称の表札が可能となり、しかもネジで固定できるので、特別の技術は不要であるから、誰でも安価に表札を作ることができる。
【００２８】
また、予め必要な文字体ａを文字取付部材９に固定しておき、表札本体Ａには上記文字取付部材９を固定するので、文字体ａの取付作業は容易である。
【００２９】
しかも、文字体ａの取付板部６を文字取付部材９の案内溝１１に沿って並べられるようにしたので、文字体ａの配列作業を容易に行うことができる。
【００３０】
さらに、文字体ａの取付板部６を表札本体Ａの文字取付部１にネジで固定する構成であるから、文字部分が取付部３によって隠れることがないので、名前や名称の読み取りに支障はない。
【００３１】
文字体ａの文字の幅と取付板部６の幅とは、互いに比例的に対応しているので、複数の文字体ａを並べたときに、図７に示すように、名前又は名称の全体の配列のバランスがよい。
【００３２】
なお、文字体ａを表札本体Ａに取り付けるにあたっては、図８に示されるように、文字取付部１の案内溝１１をコ字形にし、その中に文字体ａの取付板部６を落とし込んでネジで直接に固定するようにしてもよい。１５は長孔である。このように構成することにより、文字体ａの取付板部６は露出しないから、文字取付部材９やカバー材１４を設ける必要性は小さい。
【００３３】
一般には、表札を門袖１６の側部に取り付ける場合が多く、取付部３を表札本体Ａの側部に配置する例が多いだろうが、表札の取り付けはこの例に限定されない。例えば、表札を門袖１６の上部に取り付けるときは、取付部３は表札本体Ａの下部に配置され、また、図９（ａ）のように、表札を門袖１６の表面に取り付けるときは、表札本体Ａの裏側に配置される。この場合、同図（ｂ）のように、表札は表札本体Ａの裏側に突出した取付部３にブラケット１７を介して門袖１６の表面に固定すればよい。もちろん、表札は門袖に取り付ける例に限定されるものではなく、門柱や建物の外壁に取り付けてもよい。
【００３４】
また、文字体ａの取付板部６の幅も、必ずしも文字の幅と関係なく一定の幅にしてもよい。これに関連し、文字体ａとしては、必ずしも文字だけでなく、数字や記号を含むものとする。そして、標準的には文字取付部１に９文字程度が並べられる構造としておき、実際には６文字分だけ使うという場合は、文字の両側が大きく残るわけであるから、その余った部分に図７のように音符や星形記号などの文字体ａを、同じ要領で取り付ければよい。
【図面の簡単な説明】
【００３５】
【図１】本発明に係る表札の斜視図である。
【図２】上記表札の取付状態の正面図である。
【図３】図２のＸ−Ｘ線上の断面図である。
【図４】文字体と文字取付部材の分解斜視図である。
【図５】表札の裏側からの分解斜視図である。
【図６】文字体の例の正面図である。
【図７】文字体の取付状態を示す正面図
【図８】文字体の取付態様の他の例の要部断面図である。
【図９】（ａ）（ｂ）は表札を門袖の表面に取り付けた状態の正面図及び平面図
【符号の説明】
【００３６】
Ａ  表札本体
ａ  文字体
１  文字取付部
２  装飾部
３  取付部
９  文字取付部材
【手続補正書】
【提出日】平成17年2月14日(2005.2.14)
【手続補正１】
【補正対象書類名】特許請求の範囲
【補正対象項目名】全文
【補正方法】変更
【補正の内容】
【特許請求の範囲】
【請求項１】
建物、門等に取り付けるための取付部と細長の文字取付部とその回りを装飾する装飾部とを有する表札本体と、文字を表現した複数の文字体とから成り、上記文字体の下部には取付板部を形成し、上記文字体の取付板部を上記表札本体の文字取付部に着脱可能とし、適宜選択された文字体の取付板部を上記文字取付部の長手方向に沿って並べてネジ止め固定することを特徴とする表札の製造方法。
【請求項２】
建物、門等に取り付けるための取付部と細長の文字取付部とその回りを装飾する装飾部とを有する表札本体と、文字を表現した複数の文字体とから成り、上記文字体の下部には取付板部を形成し、上記文字体の取付板部をバー状の文字取付部材の長手方向に沿って形成された案内溝に着脱可能とし、適宜選択された文字体の取付板部を文字取付部材の案内溝に並べて固定し、この文字取付部材を上記文字取付部に固定することを特徴とする表札の製造方法。
【請求項３】
建物、門等に取り付けるための取付部と細長の文字取付部とその回りを装飾する装飾部とを有する表札本体と、文字を表現した複数の文字体とから成り、上記文字体の下部には取付板部を形成し、上記文字取付部の長手方向に沿って案内溝を形成し、上記文字体の取付板部を上記案内溝に落とし込んで着脱可能とし、適宜選択された文字体の取付板部を上記案内溝に沿って並べて固定することを特徴とする表札の製造方法。
【手続補正２】
【補正対象書類名】明細書
【補正対象項目名】全文
【補正方法】変更
【補正の内容】
【発明の詳細な説明】
【技術分野】
【０００１】
本発明は門柱や門袖や建物の入り口の壁などに取り付けられる表札の製造方法に関するものである。
【背景技術】
【０００２】
一般に、表札は木製や金属製の長方形の板状体の表面に名前又は名称を表示し、これを門柱に形成された凹部内に嵌め込んでネジで止めるか、門柱に設けたフックに表札を掛け止めるようにして取り付けられている。
【０００３】
これに対し、欧米の表札のように、表札本体にアルファベット文字を透かすように表示し、そのまわりに植物の蔓がからんだような装飾を施して立体的に仕上げたものも採用されるようになっている。このような立体表札は、装飾部分が人目をひくこともあって、最近では少しずつ増える傾向にある。また、機材に文字の形を貫通形成し、機材の裏面に形成した凹所に円形の光透過プレートを嵌め込み、その裏に照明装置を配置して筒体内に収納し、照明装置によって基材の文字状貫通孔を裏側から照らして暗所でも文字を明確に読み取ることができるようにしたものが知られている。
【特許文献１】特開２００１−１９５０００
【発明の開示】
【発明が解決しようとする課題】
【０００４】
しかしながら、従来の立体的な表札は、アルファベットの文字部が表札本体に一体に形成されているものであり、名前や名称に応じて文字配列は決まってしまうから、１個ずつ手作業で作らなければならず、時間がかかるとともに、高価であった。
【０００５】
本発明は上記問題点を解消し、ベースとなる本体に文字が着脱できるようにすることによって、簡単に多様な文字配列に対応して立体的で装飾性に富んだ安価な表札の製造方法を提供することをその課題とする。
【課題を解決するための手段】
【０００６】
前記課題を解決するため、請求項１に係る表札の製造方法は、建物、門等に取り付けるための取付部と細長の文字取付部とその回りを装飾する装飾部とを有する表札本体と、文字を表現した複数の文字体とから成り、上記文字体の下部には取付板部を形成し、上記文字体の取付板部を上記表札本体の文字取付部に着脱可能とし、適宜選択された文字体の取付板部を上記文字取付部の長手方向に沿って並べてネジ止め固定することを特徴とする。
【０００７】
請求項２に係る表札の製造方法は、建物、門等に取り付けるための取付部と細長の文字取付部とその回りを装飾する装飾部とを有する表札本体と、文字を表現した複数の文字体とから成り、上記文字体の下部には取付板部を形成し、上記文字体の取付板部をバー状の文字取付部材の長手方向に沿って形成された案内溝に着脱可能とし、適宜選択された文字体の取付板部を文字取付部材の案内溝に並べて固定し、この文字取付部材を上記文字取付部に固定することを特徴とする。
【０００８】
請求項３に係る表札の製造方法は、建物、門等に取り付けるための取付部と細長の文字取付部とその回りを装飾する装飾部とを有する表札本体と、文字を表現した複数の文字体とから成り、上記文字体の下部には取付板部を形成し、上記文字取付部の長手方向に沿って案内溝を形成し、上記文字体の取付板部を上記案内溝に落とし込んで着脱可能とし、適宜選択された文字体の取付板部を上記案内溝に沿って並べて固定することを特徴とする。
【発明の効果】
【０００９】
請求項１に係る発明によれば、文字体の下部に取付板部を設け、この取付板部を表札本体の文字取付部に並べて固定する構成であるから、表札本体の文字取付部に対し文字体を選択して取り付けることによってほとんど全ての名前や名称の表札が可能となり、しかも特別の技術は不要であるから、誰でも安価に製作することができる。また、文字体の取付板部を表札本体の文字取付部にネジで固定すればよいので、取付作業が容易であるとともに、文字部分が取付部によって隠れないようにして、名前や名称の読み取りに支障がないようにすることができる。
【００１０】
請求項２に係る発明によれば、予め必要な文字体を文字取付部材に固定しておき、表札本体に上記文字取付部材を固定するので、文字体の取付作業はさらに容易である。
【００１１】
請求項３に係る発明によれば、文字体の取付板部を文字取付部材の案内溝に沿って並べられるようにしたので、文字体の配列作業が容易に行える。
【発明を実施するための最良の形態】
【００１２】
図１は本発明に係る表札の斜視図、図２はその取付状態の正面図、図３は図２のＸ−Ｘ線上の断面図、図４は文字体と文字取付部材の分解斜視図であり、図５は表札の裏側からの分解斜視図である。上記表札は、文字体ａを取り付ける文字取付部１と、その回りを装飾する装飾部２と、門柱、門袖などに取り付ける取付部３とを有する表札本体Ａと、上記文字取付部１に着脱される複数の文字体ａとから構成されている。
【００１３】
表札本体Ａの文字取付部１は横長に形成され、背面の長手方向には凹部４が形成されている。
【００１４】
装飾部２は植物や動物などの具体的なものを立体的に表現するのが好ましいが、星やハートなどを表現してもよい。
【００１５】
文字体ａは図４及び図５に示されるように、文字が表現されている文字部５と、その下部に設けられた取付板部６とからなっている。文字体ａの種類はアルファベットに限定されない。数字や漢字であってもよい。
【００１６】
文字体ａの文字部５の幅と取付板部６の幅とは、互いに比例的に対応している。例えば、図６に示されるように、「Ｂ」、「Ｍ」、「Ｋ」、「Ｒ」等のように幅広の文字には、それに応じて幅広の取付板部６が形成され、「Ｉ」、「Ｌ」等のように幅狭の文字には、それに応じて幅狭の取付板部６が形成されている。
【００１７】
また、取付板部６の中央部にはネジ孔７が形成され、その左右両側には凸部８が形成されている。
【００１８】
図４及び図５に示す符号９は上記文字体ａを固定する文字取付部材である。この文字取付部材９はバー状に形成されている。この文字取付部材９の両端にはネジ孔１０が形成され、中央には長手方向に案内溝１１が形成されている。案内溝１１の溝幅は上記文字体ａの凸部８とほぼ同じく、ネジの頭部の直径よりも小さくなっている。
【００１９】
次に、上記文字体ａを表札本体Ａに取り付けて表札を作る場合、まず、作製しようとする名前や名称に応じて必要な文字体ａを準備し、各文字体ａを文字取付部材９に固定する。文字体ａの取付板部６を文字取付部材９の背面に当接する。このとき、取付板部６の凸部８は案内溝１１に係合させ、文字体ａの姿勢を安定させる。そして、ネジ１２を文字取付部材９の表面側から案内溝１１を通して取付板部６のネジ孔７に止着している。同じ要領で複数の文字体ａを順次上記文字取付部材９の背面に、案内溝１１に沿って配列させて固定する。
【００２０】
文字取付部材９に必要な文字体ａを固定した後、文字取付部材９を表札本体Ａの文字取付部１の背面に当接させ、両端のネジ孔１０から挿通したネジ１３を文字取付部１の両端に止着する。文字体ａを文字取付部材９に固定したネジ１２の頭部は文字取付部１の凹部４内に収まっている。
【００２１】
これにより、文字体ａは文字取付部材９を介して表札本体Ａに取り付けられる。完成した表札は図２に示されるように、門袖１６等にネジ止めすればよい。
【００２２】
なお、文字取付部材９の背面側の文字体ａの取付板部６は裏側に露出する。表札取付部３の裏側が見えないときはそれでもよいが、文字体ａの裏側が隠れるようにするのが好ましい。そのためには、文字取付部１の裏面に固定された文字取付部材９の裏に文字取付部材９と略同じ形状のカバー材１４を配置し、このカバー材１４の両端部１４ａを文字取付部１の両端部１ａにネジ止め固定すればよい。カバー材１４によって文字取付部１の裏側は覆われるので、表札をどのように取り付けても、外観が損なわれることがない。また、カバー材１４を取り付けることによって文字取付部材９が補強されるという補助的効果もある。
【００２３】
上述の構成によれば、表札本体Ａに必要な文字体ａを着脱することによって、同じ表札本体Ａに対し文字体ａを入れ替えて取り付けることによってほとんど全ての名前や名称の表札が可能となり、しかもネジで固定できるので、特別の技術は不要であるから、誰でも安価に表札を作ることができる。
【００２４】
また、予め必要な文字体ａを文字取付部材９に固定しておき、表札本体Ａには上記文字取付部材９を固定するので、文字体ａの取付作業は容易である。
【００２５】
しかも、文字体ａの取付板部６を文字取付部材９の案内溝１１に沿って並べられるようにしたので、文字体ａの配列作業を容易に行うことができる。
【００２６】
さらに、文字体ａの取付板部６を表札本体Ａの文字取付部１にネジで固定する構成であるから、文字部分が取付部３によって隠れることがないので、名前や名称の読み取りに支障はない。
【００２７】
文字体ａの文字の幅と取付板部６の幅とは、互いに比例的に対応しているので、複数の文字体ａを並べたときに、図７に示すように、名前又は名称の全体の配列のバランスがよい。
【００２８】
なお、文字体ａを表札本体Ａに取り付けるにあたっては、図８に示されるように、文字取付部１の案内溝１１をコ字形にし、その中に文字体ａの取付板部６を落とし込んでネジで直接に固定するようにしてもよい。１５は長孔である。このように構成することにより、文字体ａの取付板部６は露出しないから、文字取付部材９やカバー材１４を設ける必要性は小さい。
【００２９】
一般には、表札を門袖１６の側部に取り付ける場合が多く、取付部３を表札本体Ａの側部に配置する例が多いだろうが、表札の取り付けはこの例に限定されない。例えば、表札を門袖１６の上部に取り付けるときは、取付部３は表札本体Ａの下部に配置され、また、図９（ａ）のように、表札を門袖１６の表面に取り付けるときは、表札本体Ａの裏側に配置される。この場合、同図（ｂ）のように、表札は表札本体Ａの裏側に突出した取付部３にブラケット１７を介して門袖１６の表面に固定すればよい。もちろん、表札は門袖に取り付ける例に限定されるものではなく、門柱や建物の外壁に取り付けてもよい。
【００３０】
また、文字体ａの取付板部６の幅も、必ずしも文字の幅と関係なく一定の幅にしてもよい。これに関連し、文字体ａとしては、必ずしも文字だけでなく、数字や記号を含むものとする。そして、標準的には文字取付部１に９文字程度が並べられる構造としておき、実際には６文字分だけ使うという場合は、文字の両側が大きく残るわけであるから、その余った部分に図７のように音符や星形記号などの文字体ａを、同じ要領で取り付ければよい。
【図面の簡単な説明】
【００３１】
【図１】本発明に係る表札の斜視図である。
【図２】上記表札の取付状態の正面図である。
【図３】図２のＸ−Ｘ線上の断面図である。
【図４】文字体と文字取付部材の分解斜視図である。
【図５】表札の裏側からの分解斜視図である。
【図６】文字体の例の正面図である。
【図７】文字体の取付状態を示す正面図
【図８】文字体の取付態様の他の例の要部断面図である。
【図９】（ａ）（ｂ）は表札を門袖の表面に取り付けた状態の正面図及び平面図
【符号の説明】
【００３２】
Ａ  表札本体
ａ  文字体
１  文字取付部
２  装飾部
３  取付部
９  文字取付部材
【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
建物、門等に取り付けるための取付部と細長の文字取付部とその回りを装飾する装飾部とを有する表札本体と、文字部とその下部の取付板部とから成る複数の文字体とを備えておき、上記複数の文字体の中から表札用の文字体を選択し、選択された文字体の取付板部を上記表札本体の文字取付部の背面の長手方向に沿って並べて固定し、さらに文字取付部の裏側に該文字取付部と上記文字体の文字部の下の取付板部とを覆うカバー材を配置し、このカバー材の両端を上記文字取付部の両端に固定することを特徴とする表札の製造方法。
【請求項２】
建物、門等に取り付けるための取付部と細長の文字取付部とその回りを装飾する装飾部とを有する表札本体と、文字部とその下部の取付板部とから成る複数の文字体とを備えておき、上記複数の文字体の中から表札用の文字体を選択し、選択された文字体の取付板部をバー状の文字取付部材の長手方向に沿って形成された案内溝に並べて固定した後、この文字取付部材を上記表札本体の文字取付部に固定し、さらに取り付けられた文字体の裏側に、上記文字取付部材と略同じ大きさのカバー材を配置し、このカバー材の両端を上記文字取付部の両端に固定することを特徴とする表札の製造方法。
【手続補正２】
【補正対象書類名】明細書
【補正対象項目名】全文
【補正方法】変更
【補正の内容】
【発明の詳細な説明】
【技術分野】
【０００１】
本発明は門柱や門袖や建物の入り口の壁などに取り付けられる表札の製造方法に関するものである。
【背景技術】
【０００２】
一般に、表札は木製や金属製の長方形の板状体の表面に名前又は名称を表示し、これを門柱に形成された凹部内に嵌め込んでネジで止めるか、門柱に設けたフックに表札を掛け止めるようにして取り付けられている。
【０００３】
これに対し、欧米の表札のように、表札本体にアルファベット文字を透かすように表示し、そのまわりに植物の蔓がからんだような装飾を施して立体的に仕上げたものも採用されるようになっている。このような立体表札は、装飾部分が人目をひくこともあって、最近では少しずつ増える傾向にある。また、機材に文字の形を貫通形成し、機材の裏面に形成した凹所に円形の光透過プレートを嵌め込み、その裏に照明装置を配置して筒体内に収納し、照明装置によって基材の文字状貫通孔を裏側から照らして暗所でも文字を明確に読み取ることができるようにしたものが知られている。
【特許文献１】特開２００１−１９５０００
【発明の開示】
【発明が解決しようとする課題】
【０００４】
しかしながら、従来の立体的な表札は、アルファベットの文字部が表札本体に一体に形成されているものであり、名前や名称に応じて文字配列は決まってしまうから、１個ずつ手作業で作らなければならず、時間がかかるとともに、高価であった。
【０００５】
本発明は上記問題点を解消し、ベースとなる本体に文字が着脱できるようにすることによって、簡単に多様な文字配列に対応して立体的で装飾性に富んだ安価な表札の製造方法を提供することをその課題とする。
【課題を解決するための手段】
【０００６】
前記課題を解決するため、請求項１に係る表札の製造方法は、建物、門等に取り付けるための取付部と細長の文字取付部とその回りを装飾する装飾部とを有する表札本体と、文字部とその下部の取付板部とから成る複数の文字体とを備えておき、上記複数の文字体の中から表札用の文字体を選択し、選択された文字体の取付板部を上記表札本体の文字取付部の背面の長手方向に沿って並べて固定し、さらに文字取付部の裏側に該文字取付部と上記文字体の文字部の下の取付板部とを覆うカバー材を配置し、このカバー材の両端を上記文字取付部の両端に固定することを特徴とする。
【０００７】
請求項２に係る表札の製造方法は、建物、門等に取り付けるための取付部と細長の文字取付部とその回りを装飾する装飾部とを有する表札本体と、文字部とその下部の取付板部とから成る複数の文字体とを備えておき、上記複数の文字体の中から表札用の文字体を選択し、選択された文字体の取付板部をバー状の文字取付部材の長手方向に沿って形成された案内溝に並べて固定した後、この文字取付部材を上記表札本体の文字取付部に固定し、さらに取り付けられた文字体の裏側に、上記文字取付部材と略同じ大きさのカバー材を配置し、このカバー材の両端を上記文字取付部の両端に固定することを特徴とする。
【発明の効果】
【０００８】
請求項１に係る発明によれば、文字体の下部に取付板部を設け、この取付板部を表札本体の文字取付部に並べて固定する構成であるから、表札本体の文字取付部に対し文字体を選択して取り付けることによってほとんど全ての名前や名称の表札が可能となり、しかも特別の技術は不要であるから、誰でも安価に製作することができる。また、文字体の取付板部を表札本体の文字取付部にネジで固定すればよいので、取付作業が容易であるとともに、文字部分が取付部によって隠れないようにして、名前や名称の読み取りに支障がないようにすることができる。また、文字取付部の裏側や文字体の取付板部の裏側はカバー材によって覆われるので、外観も損なわれない。
【０００９】
請求項２に係る発明によれば、予め必要な文字体を文字取付部材に固定しておき、表札本体に上記文字取付部材を固定するので、文字体の取付作業はさらに容易である。また、文字取付部の裏側や文字体の取付板部の裏側はカバー材によって覆われるので、外観も損なわれない。
【発明を実施するための最良の形態】
【００１０】
図１は本発明に係る表札の斜視図、図２はその取付状態の正面図、図３は図２のＸ−Ｘ線上の断面図、図４は文字体と文字取付部材の分解斜視図であり、図５は表札の裏側からの分解斜視図である。上記表札は、文字体ａを取り付ける文字取付部１と、その回りを装飾する装飾部２と、門柱、門袖などに取り付ける取付部３とを有する表札本体Ａと、上記文字取付部１に着脱される複数の文字体ａとから構成されている。
【００１１】
表札本体Ａの文字取付部１は横長に形成され、背面の長手方向には凹部４が形成されている。
【００１２】
装飾部２は植物や動物などの具体的なものを立体的に表現するのが好ましいが、星やハートなどを表現してもよい。
【００１３】
文字体ａは図４及び図５に示されるように、文字が表現されている文字部５と、その下部に設けられた取付板部６とからなっている。文字体ａの種類はアルファベットに限定されない。数字や漢字であってもよい。
【００１４】
文字体ａの文字部５の幅と取付板部６の幅とは、互いに比例的に対応している。例えば、図６に示されるように、「Ｂ」、「Ｍ」、「Ｋ」、「Ｒ」等のように幅広の文字には、それに応じて幅広の取付板部６が形成され、「Ｉ」、「Ｌ」等のように幅狭の文字には、それに応じて幅狭の取付板部６が形成されている。
【００１５】
また、取付板部６の中央部にはネジ孔７が形成され、その左右両側には凸部８が形成されている。
【００１６】
図４及び図５に示す符号９は上記文字体ａを固定する文字取付部材である。この文字取付部材９はバー状に形成されている。この文字取付部材９の両端にはネジ孔１０が形成され、中央には長手方向に案内溝１１が形成されている。案内溝１１の溝幅は上記文字体ａの凸部８とほぼ同じく、ネジの頭部の直径よりも小さくなっている。
【００１７】
次に、上記文字体ａを表札本体Ａに取り付けて表札を作る場合、まず、作製しようとする名前や名称に応じて必要な文字体ａを準備し、各文字体ａを文字取付部材９に固定する。文字体ａの取付板部６を文字取付部材９の背面に当接する。このとき、取付板部６の凸部８は案内溝１１に係合させ、文字体ａの姿勢を安定させる。そして、ネジ１２を文字取付部材９の表面側から案内溝１１を通して取付板部６のネジ孔７に止着している。同じ要領で複数の文字体ａを順次上記文字取付部材９の背面に、案内溝１１に沿って配列させて固定する。
【００１８】
文字取付部材９に必要な文字体ａを固定した後、文字取付部材９を表札本体Ａの文字取付部１の背面に当接させ、両端のネジ孔１０から挿通したネジ１３を文字取付部１の両端に止着する。文字体ａを文字取付部材９に固定したネジ１２の頭部は文字取付部１の凹部４内に収まっている。
【００１９】
これにより、文字体ａは文字取付部材９を介して表札本体Ａに取り付けられる。完成した表札は図２に示されるように、門袖１６等にネジ止めすればよい。
【００２０】
なお、文字取付部材９の背面側の文字体ａの取付板部６は裏側に露出する。表札取付部３の裏側が見えないときはそれでもよいが、文字体ａの裏側が隠れるようにするのが好ましい。そのために、文字取付部１の裏面に固定された文字取付部材９の裏に文字取付部材９と略同じ形状のカバー材１４を配置し、このカバー材１４の両端部１４ａを文字取付部１の両端部１ａにネジ止め固定する。カバー材１４によって文字取付部１の裏側は覆われるので、表札をどのように取り付けても、外観が損なわれることがない。また、カバー材１４を取り付けることによって文字取付部材９が補強されるという補助的効果もある。
【００２１】
上述の構成によれば、表札本体Ａに必要な文字体ａを着脱することによって、同じ表札本体Ａに対し文字体ａを入れ替えて取り付けることによってほとんど全ての名前や名称の表札が可能となり、しかもネジで固定できるので、特別の技術は不要であるから、誰でも安価に表札を作ることができる。
【００２２】
また、予め必要な文字体ａを文字取付部材９に固定しておき、表札本体Ａには上記文字取付部材９を固定するので、文字体ａの取付作業は容易である。
【００２３】
しかも、文字体ａの取付板部６を文字取付部材９の案内溝１１に沿って並べられるようにしたので、文字体ａの配列作業を容易に行うことができる。
【００２４】
さらに、文字体ａの取付板部６を表札本体Ａの文字取付部１にネジで固定する構成であるから、文字部分が取付部３によって隠れることがないので、名前や名称の読み取りに支障はない。
【００２５】
文字体ａの文字の幅と取付板部６の幅とは、互いに比例的に対応しているので、複数の文字体ａを並べたときに、図７に示すように、名前又は名称の全体の配列のバランスがよい。
【００２６】
一般には、表札を門袖１６の側部に取り付ける場合が多く、取付部３を表札本体Ａの側部に配置する例が多いと考えられるが、表札の取り付けはこの例に限定されない。例えば、表札を門袖１６の上部に取り付けるときは、取付部３は表札本体Ａの下部に配置され、また、図８（ａ）のように、表札を門袖１６の表面に取り付けるときは、表札本体Ａの裏側に配置される。この場合、同図（ｂ）のように、表札は表札本体Ａの裏側に突出した取付部３にブラケット１７を介して門袖１６の表面に固定すればよい。もちろん、表札は門袖に取り付ける例に限定されるものではなく、門柱や建物の外壁に取り付けてもよい。
【００２７】
また、文字体ａの取付板部６の幅も、必ずしも文字の幅と関係なく一定の幅にしてもよい。これに関連し、文字体ａとしては、必ずしも文字だけでなく、数字や記号を含むものとする。そして、標準的には文字取付部１に９文字程度が並べられる構造としておき、実際には６文字分だけ使うという場合は、文字の両側が大きく残るわけであるから、その余った部分に図７のように音符や星形記号などの文字体ａを、同じ要領で取り付ければよい。
【図面の簡単な説明】
【００２８】
【図１】本発明に係る表札の斜視図である。
【図２】上記表札の取付状態の正面図である。
【図３】図２のＸ−Ｘ線上の断面図である。
【図４】文字体と文字取付部材の分解斜視図である。
【図５】表札の裏側からの分解斜視図である。
【図６】文字体の例の正面図である。
【図７】文字体の取付状態を示す正面図
【図８】（ａ）（ｂ）は表札を門袖の表面に取り付けた状態の正面図及び平面図
【符号の説明】
【００２９】
Ａ  表札本体
ａ  文字体
１  文字取付部
２  装飾部
３  取付部
９  文字取付部材
【手続補正３】
【補正対象書類名】図面
【補正対象項目名】図９
【補正方法】削除
【補正の内容】
【手続補正４】
【補正対象書類名】図面
【補正対象項目名】図８
【補正方法】変更
【補正の内容】
【図８】
2005215048.tif 000012